(57)【要約】【課題】使用者の負担を軽減するとともに、米飯の腐敗及び保温による食味劣化をさらに効果的に低減させることのできるジャー炊飯器を提供する。【解決手段】炊飯器本体の内部に収納され、米飯を収容する鍋と、鍋の上部開口部を覆う開閉自在な蓋と、鍋を加熱する鍋底加熱手段と、鍋の温度を検知する鍋温度検知センサと、鍋底加熱手段の鍋加熱動作を制御する加熱制御部と、米の炊飯に関する炊飯情報が入力される炊飯情報入力部と、炊飯開始前に炊飯情報入力部により入力された炊飯情報に応じて、複数の保温モードの中から対応する保温モードを自動的に選択する保温モード自動選択部と、保温モード自動選択部で選択された保温モードと、鍋温度検知センサで検知された検知温度とに基づいて、加熱制御部を制御して、保温温度を制御する保温温度制御部とを備える。【選択図】図１
2007222289.tif 000002
【特許請求の範囲】
【請求項１】
炊飯器本体の内部に収納され、米飯を収容可能な鍋と、
上記鍋の上部開口部を覆う開閉自在な蓋と、
上記鍋を加熱する鍋底加熱手段と、
上記鍋の温度を検知する鍋温度検知センサと、
上記鍋底加熱手段の鍋加熱動作を制御する加熱制御部と、
米の炊飯に関する炊飯情報が入力される炊飯情報入力部と、
炊飯開始前に上記炊飯情報入力部により入力された上記炊飯情報に応じて、複数の保温モードの中から対応する保温モードを自動的に選択する保温モード自動選択部と、
上記保温モード自動選択部で選択された上記保温モードと、上記鍋温度検知センサで検知された検知温度とに基づいて、上記加熱制御部を制御して、保温温度を制御する保温温度制御部と、
を備えることを特徴とするジャー炊飯器。
【請求項２】
上記炊飯情報には、米の米種情報、米の新米度情報、米の組織の硬さ情報、及び予備浸水情報のうち、少なくともいずれか１つの情報が含まれることを特徴とする請求項１に記載のジャー炊飯器。
【請求項３】
炊飯器本体の内部に収納され、米飯を収容可能な鍋と、
上記鍋の上部開口部を覆う開閉自在な蓋と、
上記鍋を加熱する鍋底加熱手段と、
上記鍋の温度を検知する鍋温度検知センサと、
上記鍋底加熱手段の鍋加熱動作を制御する加熱制御部と、
上記鍋底加熱手段による鍋加熱動作開始時に上記鍋温度検知センサより検知された鍋温度に応じて、複数の保温モードの中から対応する保温モードを自動的に選択する保温モード自動選択部と、
上記保温モード自動選択部で選択された上記保温モードと、上記鍋温度検知センサで検知された検知温度とに基づいて、上記加熱制御部を制御して、保温温度を制御する保温温度制御部と、
を備えることを特徴とするジャー炊飯器。
【請求項４】
上記保温モードには、
保温開始から保温終了まで第１保温温度で米飯を保温する第１保温モードと、
保温開始後、少なくとも１度は、上記第１保温温度より低い第２保温温度で米飯を保温してから、上記第１保温温度以上である第３保温温度に移行して米飯を保温する第２保温モードと、
が含まれることを特徴とする請求項１から請求項３のいずれか１つに記載のジャー炊飯器。
【請求項５】
さらに、炊飯中の上記米飯の炊飯量を判定する炊飯量判定部を備え、
上記保温モード自動選択部は、上記炊飯量判定部が、上記米飯の炊飯量が予め設定された量以上であると判定した場合、保温モードが上記第２保温モードであっても、上記第１保温モードを自動的に選択することを特徴とする請求項４に記載のジャー炊飯器。
【請求項６】
さらに、保温中に、米飯の温度を上下動させる外的な変化があったことを検知する変化検知部を備え、
上記保温モード自動選択部は、保温開始前に自動選択した保温モードが上記第２保温モードであり、且つ上記変化検知部が上記変化を検知したとき、自動的に上記第１保温モードに切り替え選択することを特徴とする請求項４に記載のジャー炊飯器。
【請求項７】
さらに、上記蓋の開閉を検知する蓋開閉検知装置を備え、
さらに、上記保温モードには、上記第２保温温度から上記第３保温温度に移行するタイミングのみを上記第２保温モードより速くした第３保温モードが含まれ、
上記保温モード自動選択部は、保温開始前に自動選択した保温モードが上記第２保温モードであり、且つ上記蓋開閉検知装置が上記蓋が開けられたことを検知したとき、上記第３保温モードに自動的に切り替え選択することを特徴とする請求項４に記載のジャー炊飯器。
【請求項８】
さらに、上記保温モード自動選択部で選択された保温モードを、他の保温モードに切り替え可能な切替入力部を備えることを特徴とする請求項１から請求項７のいずれか１つに記載のジャー炊飯器。
【請求項９】
さらに、上記保温モード自動選択部で選択された保温モードを、他の保温モードに切り替え可能な切替入力部を備え、
上記保温温度制御部は、上記保温モード自動選択部により自動的に選択された保温モードが第１保温モードであった場合、上記切替入力部により入力された保温モードに関わらず、上記保温モード自動選択部により自動的に選択された第１保温モードに基づいて、保温温度を制御することを特徴とする請求項４から請求項７のいずれか１つに記載のジャー炊飯器。
【請求項１０】
さらに、保温開始から現在までの累積消費電力量を演算して表示する表示部を備えることを特徴とする請求項１から請求項９のいずれか１つに記載のジャー炊飯器。
【請求項１１】
さらに、保温中の保温温度を表示する表示部を備えることを特徴とする請求項１から請求項１０のいずれか１つに記載のジャー炊飯器。
【発明の詳細な説明】
【技術分野】
【０００１】
本発明は、保温機能を有するジャー炊飯器に関するものである。
【背景技術】
【０００２】
従来、この種の炊飯器においては、炊飯された米飯は一定温度で保温されるようになっていた。例えば、その保温温度は、低いと米飯が腐敗してしまうため、米飯の腐敗を防ぎ、米飯の温熱感を保って食味の劣化を少なくすると言われている約７０℃〜７４℃の範囲で設定されていた。
【０００３】
しかしながら、上記構成の炊飯器においては、保温温度が比較的高温のため、実際は、長時間保温すると、米飯が黄（褐）変したり、独特の臭気を発したり、粘りや弾力性等の食味物性が低下するといった問題点がある。
【０００４】
そこで、通常保温温度（例えば７０℃〜７４℃の範囲内の温度）と、通常保温温度より保温温度が高い高温保温温度（例えば７５℃〜９５℃の範囲内の温度）と、通常保温温度よりも保温温度が低い低温保温温度（例えば５５℃〜６９℃の範囲内の温度）との３水準の保温温度を有し、それらの保温温度を一定時間毎に切り替えるサイクル加熱を行うことで、上記課題を解決する技術が特許文献１に開示されている。
【０００５】
また、特許文献２には、低温保温温度と高温保温温度とを交互に一定時間繰り返した後、通常保温温度に移行する保温モードと、通常保温温度のみからなる保温モードとを、使用者に選択可能にすることで、米飯の腐敗及び保温による食味劣化を効果的に低減させる技術が開示されている。
【０００６】
【特許文献１】特許第２８１４９１５号公報
【特許文献２】特許第２８９１１１８号公報
【発明の開示】
【発明が解決しようとする課題】
【０００７】
米は、白米や玄米等の米種や、収穫からの経過期間による新米度、「コシヒカリ」や「あきたこまち」等の銘柄などによって異なる組織の硬さなどにより、保温時の性能（黄変、白化等）に、ばらつきがある。このため、米飯の腐敗及び保温による食味劣化をさらに効果的に防ぐためには、炊飯する米の保温時の性能を正確に把握し、その性能に応じた保温モードを選択して入力する必要がある。
【０００８】
しかしながら、特許文献１、２の技術は、使用者が自ら、保温モードを選択しなければならないものであるために、使用者自身が炊飯する米の保温時の性能を正確に把握する必要が有り、使用者に過度な負担がかかる。したがって、炊飯する米の、個々の保温時の性能に応じて保温モードを使い分け、米飯の腐敗及び保温による食味劣化を効果的に低減させることは、現実的には困難である。
【０００９】
本発明は上記のような問題を解決するためになされたものであって、使用者の負担を軽減するとともに、米飯の腐敗及び保温による食味劣化をさらに効果的に低減させることのできるジャー炊飯器を提供することを目的とするものである。
【課題を解決するための手段】
【００１０】
上記課題を解決するために本発明の第１態様によれば、炊飯器本体の内部に収納され、米飯を収容可能な鍋と、上記鍋の上部開口部を覆う開閉自在な蓋と、上記鍋を加熱する鍋底加熱手段と、上記鍋の温度を検知する鍋温度検知センサと、上記鍋底加熱手段の鍋加熱動作を制御する加熱制御部と、米の炊飯に関する炊飯情報が入力される炊飯情報入力部と、炊飯開始前に上記炊飯情報入力部により入力された上記炊飯情報に応じて、複数の保温モードの中から対応する保温モードを自動的に選択する保温モード自動選択部と、上記保温モード自動選択部で選択された上記保温モードと、上記鍋温度検知センサで検知された検知温度とに基づいて、上記加熱制御部を制御して、保温温度を制御する保温温度制御部と、を備えることを特徴とするジャー炊飯器を提供する。
【００１１】
本発明の第２態様によれば、上記炊飯情報には、米の米種情報、米の新米度情報、米の組織の硬さ情報、及び予備浸水情報のうち、少なくともいずれか１つの情報が含まれることを特徴とする第１態様に記載のジャー炊飯器を提供する。
【００１２】
本発明の第３態様によれば、炊飯器本体の内部に収納され、米飯を収容可能な鍋と、上記鍋の上部開口部を覆う開閉自在な蓋と、上記鍋を加熱する鍋底加熱手段と、上記鍋の温度を検知する鍋温度検知センサと、上記鍋底加熱手段の鍋加熱動作を制御する加熱制御部と、上記鍋底加熱手段による鍋加熱動作開始時に上記鍋温度検知センサより検知された鍋温度に応じて、複数の保温モードの中から対応する保温モードを自動的に選択する保温モード自動選択部と、上記保温モード自動選択部で選択された上記保温モードと、上記鍋温度検知センサで検知された検知温度とに基づいて、上記加熱制御部を制御して、保温温度を制御する保温温度制御部と、を備えることを特徴とするジャー炊飯器を提供する。
【００１３】
本発明の第４態様によれば、上記保温モードには、保温開始から保温終了まで第１保温温度で米飯を保温する第１保温モードと、保温開始後、少なくとも１度は、上記第１保温温度より低い第２保温温度で米飯を保温してから、上記第１保温温度以上である第３保温温度に移行して米飯を保温する第２保温モードと、が含まれることを特徴とする第１態様から第３態様のいずれか１つに記載のジャー炊飯器を提供する。
【００１４】
本発明の第５態様によれば、さらに、炊飯中の上記米飯の炊飯量を判定する炊飯量判定部を備え、上記保温モード自動選択部は、上記炊飯量判定部が、上記米飯の炊飯量が予め設定された量以上であると判定した場合、保温モードが上記第２保温モードであっても、上記第１保温モードを自動的に選択することを特徴とする第４態様に記載のジャー炊飯器を提供する。
【００１５】
本発明の第６態様によれば、さらに、保温中に、米飯の温度を上下動させる外的な変化があったことを検知する変化検知部を備え、上記保温モード自動選択部は、保温開始前に自動選択した保温モードが上記第２保温モードであり、且つ上記変化検知部が上記変化を検知したとき、自動的に上記第１保温モードに切り替え選択することを特徴とする第４態様に記載のジャー炊飯器を提供する。
【００１６】
本発明の第７態様によれば、さらに、上記蓋の開閉を検知する蓋開閉検知装置を備え、さらに、上記保温モードには、上記第２保温温度から上記第３保温温度に移行するタイミングのみを上記第２保温モードより速くした第３保温モードが含まれ、上記保温モード自動選択部は、保温開始前に自動選択した保温モードが上記第２保温モードであり、且つ上記蓋開閉検知装置が上記蓋が開けられたことを検知したとき、上記第３保温モードに自動的に切り替え選択することを特徴とする第４態様に記載のジャー炊飯器を提供する。
【００１７】
本発明の第８態様によれば、さらに、上記保温モード自動選択部で選択された保温モードを、他の保温モードに切り替え可能な切替入力部を備えることを特徴とする第１態様から第７態様のいずれか１つに記載のジャー炊飯器を提供する。
【００１８】
本発明の第９態様によれば、さらに、上記保温モード自動選択部で選択された保温モードを、他の保温モードに切り替え可能な切替入力部を備え、上記保温温度制御部は、上記保温モード自動選択部により自動的に選択された保温モードが第１保温モードであった場合、上記切替入力部により入力された保温モードに関わらず、上記保温モード自動選択部により自動的に選択された第１保温モードに基づいて、保温温度を制御することを特徴とする第４態様から第７態様のいずれか１つに記載のジャー炊飯器を提供する。
【００１９】
本発明の第１０態様によれば、さらに、保温開始から現在までの累積消費電力量を演算して表示する表示部を備えることを特徴とする第１態様から第９態様のいずれか１つに記載のジャー炊飯器を提供する。
【００２０】
本発明の第１１態様によれば、さらに、保温中の保温温度を表示する表示部を備えることを特徴とする第１態様から第１０態様のいずれか１つに記載のジャー炊飯器を提供する。
ここで、保温中の保温温度とは、保温温度制御部が制御している保温のごはん温度を示しており、保温中の鍋温度検知センサの検知温度に代えることもできる。
【発明の効果】
【００２１】
本発明のジャー炊飯器によれば、炊飯開始前に入力された炊飯情報に応じて、複数の保温モードの中から対応する保温モードを自動的に選択する保温モード自動選択部を備えているので、炊飯開始前に入力された炊飯情報に応じて、それに適した保温コースが保温モード自動選択部により自動的に選択され、使用者自身が炊飯する米の保温時の性能を正確に把握する必要がない。したがって、使用者の負担を軽減するとともに、米飯の腐敗及び保温による食味劣化をさらに効果的に低減させることができる。
【００２２】
また、炊飯工程で糊化を進行させる前に予め米に吸水させておく浸水工程は、浸水工程開始前の水の水温が例えば２０℃と考えて、浸水工程終了後、最適な吸水状態となるように設定されているので、鍋加熱動作開始時の鍋内に入れた水の温度が高い状態で炊飯した米は、浸水工程中に僅かに糊化し崩れて、炊き上がりの含水率が高く、保温時にべたつきやすい一方、鍋加熱動作開始時の鍋内に入れた水の温度が低い状態で炊飯した米は、浸水工程が終了しても十分な吸水状態が得られていない状態なので、炊き上がりの含水率が低く、乾燥しやすい。
【００２３】
特に、本発明の第３態様によれば、加熱ユニットによる鍋加熱動作開始時に鍋温度検知センサより検知された鍋温度に応じて、複数の保温モードの中から対応する保温モードを自動的に選択する保温モード自動選択部を備えているので、鍋加熱動作開始時の鍋内に入れた水の温度と相関関係にある鍋温度に適した保温コースが保温モード自動選択部により自動的に選択され、使用者自身が鍋内に入れた水の温度を測って、それに適した保温コースを選択して入力する必要はない。したがって、使用者の負担を軽減するとともに、米飯の腐敗及び保温による食味劣化をさらに効果的に低減させることができる。
【発明を実施するための最良の形態】
【００２４】
本発明の記述を続ける前に、添付図面において同じ部品については同じ参照符号を付している。
また、本発明において「炊飯情報」とは、米の炊飯開始時までに炊飯器に入力された、炊飯に関する情報をいう。例えば、白米、玄米、無洗米等の米種（炊飯コース）の情報、新米、古米等の収穫からの経過期間を表す新米度情報、「コシヒカリ」や「あきたこまち」等の銘柄などによって異なる米の組織の硬さ情報、予備浸水の有無を示す予備浸水情報などが挙げられる。
以下、本発明の最良の実施形態について、図面を参照しながら説明する。
【００２５】
《第１の実施形態》
本発明の第１の実施形態にかかるジャー炊飯器について、図１〜図４を用いて以下に説明する。図１は、本発明の第１の実施形態にかかるジャー炊飯器の断面図であり、図２は、その制御部関連の構成を示すブロック図、図３は、その操作パネルの上面図、図４は、その保温モードの一例における保温温度の変化を示すグラフである。本発明の第１の実施形態のジャー炊飯器は電気式ＩＨ加熱ジャー炊飯器である。図１において、第１の実施形態のジャー炊飯器は、本体１の内部に着脱可能に収納され、米飯を収容可能な鍋２と、本体１内に収納された鍋２の外周面に対向するように配置され、鍋２を加熱可能な加熱ユニット３と、鍋２の上部開口部を覆うように本体１に開閉自在に取り付けられた蓋４と、鍋２の底面中央部に外接し、鍋２の温度を検知する鍋温度検知センサの一例である鍋底温度センサ５と、蓋４の内部に配置され、鍋底温度センサ５の検知温度に基づいて、加熱ユニット３の鍋加熱動作を制御する加熱制御部７１を制御して鍋２を加熱し、鍋２内の被加熱物を炊飯及び保温する制御部６とを備えている。
【００２６】
本体１は、上部が開口している略円筒形状、つまり略有底円筒形状を有し、炊飯器本体を形成している。本体１の上部開口の周囲にはリング状の上枠１１が嵌められて取り付けられている。上枠１１は、有底円筒形状に形成されたコイルベース１２の上端部を固定しており、そのコイルベース１２とで鍋収納部を形成している。コイルベース１２の外周面には、鍋２の外周面と対向するように配置されて鍋２を誘導加熱するリング状の、底内コイル３１、底外コイル３２、及び側面コイル３３が設置されている。底内コイル３１は鍋２の底部２ａと対向するように配置され、底外コイル３２は鍋２の側底部２ｂと対向するように配置され、側面コイル３３は鍋２の側部２ｃと対向するように配置されている。加熱ユニット３は、底内コイル３１、底外コイル３２、側面コイル３３と、後述する蓋コイル３４とにより構成されている。
【００２７】
コイルベース１２と本体１の内面とで形成される空間には、制御部６からの制御により、底内コイル３１、底外コイル３２、側面コイル３３、及び後述する蓋コイル３４に高周波電流を通電し、鍋２を誘導加熱するための加熱制御部７１が設置されている。この加熱制御部７１の下方には、加熱制御部７１上に設置される発熱部品７２を冷却するためのヒートシンク７３が設置されている。ヒートシンク７３の下方には、ヒートシンク７３を冷却するための冷却用ファンモータ７４が設けられている。冷却用ファンモータ７４の、コイルベース１２との対向面は、コイルベース１２の形状に沿うように傾斜している。
【００２８】
蓋４は、合成樹脂から形成された外蓋部４１と、外蓋部４１の内側に嵌められて取り付けられている内蓋部４２と、内蓋部４２の下面に着脱可能に取り付けられることで、蓋４の下面を構成する発熱板４３とを有している。内蓋部４２の上面には、発熱板４３を誘導加熱するためのリング状の蓋コイル３４が設置されている。蓋４は、内蓋部４２の一部に設けられたヒンジ軸４ａを本体１の上枠１１の一部に一体形成されたヒンジ部材１３に回動自在に支持されることで、本体１の上部開口部を開閉可能なように取り付けられている。
【００２９】
発熱板４３の外周下部には、リング状の鍋パッキン４４が取り付けられている。鍋パッキン４４は、炊飯中に鍋２内に発生する蒸気などを、本体１の内部空間へ流出させないように鍋２と蓋４との隙間を塞ぐように配置されている。発熱板４３の上面の一部には、発熱板４３の温度を検知するための蓋温度センサ４５が圧接されている。また、発熱板４３の中央部には鍋２内の蒸気を炊飯器外部に排出するための蒸気通路孔４６が設けられている。
【００３０】
蓋４の中央部には、貫通穴４７が蓋４の厚さ方向に貫通するように設けられている。貫通穴４７には、略円筒形状の蒸気筒４８が炊飯器外部から嵌め込まれている。蒸気筒４８には、鍋２内から蒸気通路孔４６を通って排出される蒸気を、本体１の外部へ排出できるように、蒸気排出孔４８ａが設けられている。
【００３１】
鍋底温度センサ５は、コイルベース１２上に設けられ鍋２を支持するためのセンサバネ５１によって付勢されることにより、鍋２の底部２ａ中央部に外接可能に配置されている。この鍋底温度センサ５は、炊飯及び保温時の鍋温度を検知することで、制御部６が鍋２内の被加熱物（米飯）を最適な温度状態に制御できるように設置されている。
【００３２】
蓋４の内部で蓋温度センサ４５の上方には、制御部６、操作基板６１、情報入力部６２、及び表示部の一例である表示板６３が設置されている。外蓋部４１には、炊飯器外部から表示板６３を視認可能にする表示窓４１ａと、炊飯器外部から押圧することで情報入力部６２の各入力ボタンを押圧することができる操作パネル４１ｂとが設けられている。
【００３３】
情報入力部６２は、図３に示すように、炊飯情報入力部の一例である炊飯情報入力ボタンを備えている。炊飯情報入力ボタンは、炊飯コース入力ボタン６２ａ、硬さ入力ボタン６２ｂ、及び新米度入力ボタン６２ｃから構成されている。炊飯コース入力ボタン６２ａは、米の米種情報の一例である、「白米コース」や「玄米コース」などの炊飯コースを入力できるボタンである。なお、入力した炊飯コースは、表示板６３で確認できるようになっている。硬さ入力ボタン６２ｂは、「コシヒカリ」や「あきたこまち」等の銘柄などによって異なる組織の硬さを、組織の硬さによって「柔らかい米」、「普通米」、「硬い米」の３つに分類することで、入力できるようにしたボタンである。なお、ここで、「柔らかい米」、「普通米」、「硬い米」の分類は、２０℃及び糊化温度帯の７０℃で１０分浸水させたときの吸水率の違いにより行っている。組織の「柔らかい米」とは、２０℃で１０分浸水時の吸水率が１０％以上で、かつ７０℃で１０分浸水時の吸水率が２０％以上の米をいい、例えばコシヒカリが挙げられる。組織の硬さが「普通米」であるとは、２０℃で１０分浸水時の吸水率が１０％以上で、かつ７０℃で１０分浸水時の吸水率が２０％未満の米をいい、例えば日本晴が挙げられる。組織の「硬い米」とは、２０℃で１０分浸水時の吸水率が１０％未満の米をいい、例えばきらら３９７が挙げられる。米は常温での吸水率が高いほど粒の中まで水が浸透し、柔らかいごはんに炊き上がるが、糊化温度帯での吸水率が高いほど、糊化開始温度が低いため、べちゃつきやすいという特徴を持っている。
【００３４】
新米度入力ボタン６２ｃは、米の収穫からの経過期間に応じて、米の新米度を入力できるボタンである。本発明の第１の実施形態においては、収穫からの経過期間が３ヶ月未満の米を「新米」、３ヶ月以上の米を「古米」として、そのいずれかを入力できるように構成している。
【００３５】
制御部６は、炊飯コース入力ボタン６２ａ、硬さ入力ボタン６２ｂ、及び新米度入力ボタン６２ｃで入力された炊飯情報に応じて、総消費電力量の異なる複数の保温モードの中から対応する保温モードを自動的に選択する保温モード自動選択部６ａと、炊飯コース入力ボタン６２ａ、硬さ入力ボタン６２ｂ、及び新米度入力ボタン６２ｃで入力された炊飯情報と鍋底温度センサ５及び蓋温度センサ４５の検知温度とに基づいて、加熱制御部７１を制御して、炊飯動作を行う炊飯制御部６ｂと、炊飯制御部６ｂの炊飯動作の終了を検知して、保温モード自動選択部６ａで自動選択された保温モードと鍋底温度センサ５及び蓋温度センサ４５の検知温度とに基づいて、加熱制御部７１を制御して、炊飯された米飯の保温温度を制御する保温温度制御部６ｃを備えている。なお、制御部６は、別途設けられた計時部６４により、炊飯及び保温における各工程の所要時間を制御している。
【００３６】
本発明の第１の実施形態において、保温モード自動選択部６ａは、保温開始から保温終了まで通常保温温度（第１保温温度、例えば７０℃〜７４℃の範囲内の温度）で米飯を保温する第１保温モードの一例である高温保温モード、又は通常保温温度より低い低温保温温度（第２保温温度、例えば５５℃〜６９℃の範囲内の温度）と、通常保温温度より高い高温保温温度（第３保温温度、例えば７４℃〜９５℃の範囲内の温度）とを交互に繰り返した後、通常保温温度に移行する第２保温モードの一例である標準保温モードを選択できるように構成されている。なお、標準保温モードで保温した場合の総消費電力量は、高温保温モードで保温する場合よりも少なくなるように設定されている。図４は、標準保温モードにおける鍋温度及び米飯の温度の変位の一例を示している。
【００３７】
玄米や発芽玄米、雑穀米などの米は、長時間保温することは好ましくないと広く知られており、一般的に炊き上がり後は早期に食されるため、高温保温モードでの保温が適している。一方、白米は、長時間保温されることが多く、また、通常保温温度で長時間保温すると前述したように黄変や独特の臭気を発生するなどして食味が劣化するため、標準保温モードでの保温が適している。このため、保温モード自動選択部６ａは、使用者が炊飯コース入力ボタン６２ａにより、「白米コース」を入力した場合、自動的に標準保温モードを選択し、「白米コース」以外の炊飯コースを入力した場合、自動的に高温保温モードを選択するように構成されている。
【００３８】
また、「魚沼産コシヒカリ」等の組織の「柔らかい米」は、保温温度が低いと表面のべとつきが進展し、保温時の食感が悪くなるため、高温保温モードでの保温が適している。一方、「標準的なコシヒカリ」や「日本晴」等の「普通米」や、「きらら３９７」等の組織の「硬い米」は、組織の「柔らかい米」よりも吸水率が低く、保温中に乾燥して硬くなるため、標準保温モードでの保温が適している。このため、保温モード自動選択部６ａは、使用者が硬さ入力ボタン６２ｂにより、「柔らかい米」を入力した場合、自動的に高温保温モードを選択し、「柔らかい米」以外、つまり「普通米」又は「硬い米」を入力した場合、自動的に標準保温モードを選択するように構成されている。
【００３９】
また、米は収穫からの経過期間が長くなればなるほど、米の周りに脂肪酸が多く発生することが知られている。脂肪酸は保温中に酸化されて異臭を発生する原因となるので、古米の場合は、この酸化反応を抑えてできるだけ異臭の発生を抑える必要がある。したがって、収穫からの経過期間が短い「新米」は高温保温モードが適しており、収穫からの経過期間が長い「古米」は標準保温モードが適している。このため、保温モード自動選択部６ａは、使用者が新米度入力ボタン６２ｃにより、「新米」を入力した場合、自動的に高温保温モードを選択し、「新米」以外、つまり「古米」を入力した場合、自動的に標準保温モードを選択するように構成されている。
【００４０】
なお、使用者が複数の炊飯情報に基づいて、炊飯コース入力ボタン６２ａ、硬さ入力ボタン６２ｂ、及び新米度入力ボタン６２ｃの中から複数の入力ボタンを押圧した場合、保温モード自動選択部６ａは、押圧された炊飯コース入力ボタン６２ａ、硬さ入力ボタン６２ｂ、及び新米度入力ボタン６２ｃにより入力される保温モードのうち、１つでも高温保温モードが入力された場合には高温保温モードを選択し、全て標準保温モードが入力された場合のみ、標準保温モードを選択するように構成されている。例えば、炊飯する米の情報が、「白米」、「コシヒカリ」、及び「収穫からの経過期間が３ヶ月以上」であり、使用者が、炊飯コース入力ボタン６２ａにより「白米コース」、硬さ入力ボタン６２ｂにより「普通米」、新米度入力ボタン６２ｃにより「古米」を入力した場合、全ての保温モードが標準保温モードであるので、保温モード自動選択部６ａは、自動的に標準保温モードを選択するように構成されている。
【００４１】
情報入力部６２は更に、炊飯ボタン６２ｄと切ボタン６２ｅとを備えている。炊飯ボタン６２ｄは、押圧されると保温温度制御部６に炊飯等の動作の開始を指示し、切ボタン６２ｅは、押圧されると各操作の取消等を指示する。
【００４２】
表示板６３は、情報入力部６２により入力された炊飯情報や日時などを表示するものである。なお、表示板６３には、自動選択された保温モードや、その保温モードによる総消費電力量なども併せて表示可能にすることが好ましい。また、表示板６３は、保温開始から現在までの累積消費電力量を演算する累積消費電力量演算部を備えて、その累積消費電力量を表示可能にしてもよい。このように構成することで、使用者に、正しく保温モードが選択されているか確認させることができるとともに、省エネを促すことができる。また、使用電力料金を表示させることでも省エネを促すことができる。
【００４３】
上記のように構成される本発明の第１の実施形態のジャー炊飯器によれば、炊飯開始前に使用者が炊飯コース入力ボタン６２ａ、硬さ入力ボタン６２ｂ、及び新米度入力ボタン６２ｃにより入力した炊飯情報に応じて、標準保温モード又は高温保温モードの中から対応する保温モードを自動的に選択する保温モード自動選択部６ａを備えているので、炊飯開始前に入力された炊飯情報に応じて、それに適した保温コースが保温モード自動選択部６ａにより自動的に選択される。したがって、使用者自身が炊飯する米の保温時の性能を正確に把握する必要はなく、使用者の負担を軽減するとともに、米飯の腐敗及び保温による食味劣化をさらに効果的に低減させることができる。また、総消費電力量も効果的に減らすことができる。
【００４４】
なお、本発明の第１の実施形態のジャー炊飯器においては、使用者が、炊飯する米を「新米」、「古米」と判断し、入力するように構成したが、別途カレンダー機能を備えて、カレンダーの日付により「新米」、「古米」を自動的に選択するように構成してもよい。例えば、米の収穫時期を９月１５日であると仮定して、カレンダーの日付が９月１６日から１２月１５日の間であるなら「新米」、それ以外であるなら「古米」を自動的に選択するように構成してもよい。
また、本発明の第１の実施形態のジャー炊飯器においては、加熱ユニット３を底内コイル３１、底外コイル３２、側面コイル３３、及び蓋コイル３４で構成し、鍋２内の被調理物を、鍋底側、鍋側面側、鍋２の上部開口部を覆う蓋４側から加熱するように構成したが、本発明はこれには限定されない。加熱ユニット３は、少なくとも鍋底側を加熱する鍋底加熱手段を備えておればよい。すなわち、本発明の第１の実施形態のジャー炊飯器においては、底内コイル３１又は底外コイル３２を備えておればよい。
また、本発明の第１の実施形態の炊飯器においては、加熱ユニット３を全て、コイルにより構成したが、コイルに限られず、ヒータや、ヒータとコイルとの組合せなどにより構成されても構わない。
【００４５】
《第２の実施形態》
本発明の第２の実施形態にかかるジャー炊飯器を、図５を用いて説明する。図５は、本発明の第２の実施形態にかかるジャー炊飯器の操作パネルの上面図である。本発明の第２の実施形態にかかるジャー炊飯器は、予備浸水入力ボタン６２ｆをさらに有する点で、第１の実施形態のジャー炊飯器と異なる。それ以外の点においては、第１の実施形態と同様であるので重複する説明は省略する。
【００４６】
予備浸水入力ボタン６２ｆは、図５に示すように、情報入力部６２の一部に設けられている。ここで、予備浸水とは、鍋２に米と水を入れてから炊飯開始までの間に予め米に水を吸水させることをいう。本発明の第２の実施形態においては、使用者が、米に水を１０分以上吸水させた場合を予備浸水「有」、その吸水が１０分未満である場合を予備浸水「無」としている。
【００４７】
予備浸水が有る場合、浸水工程開始時にはすでに米が吸水しているため、浸水工程で水温が５０℃〜６０℃に上がることにより米表面においては糊化がわずかに始まってしまい、浸漬時間が長くなると米表面が糊状になり、粒の崩れた食味の悪いごはんになってしまう。このため、予備浸水した米は、炊き上がりの含水率が高くなる傾向があり、保温時にべたつくため、高温保温モードでの保温が適している。一方、予備浸水せずに直ぐに炊飯する米は、標準保温モードでの保温が適している。このため、保温モード自動選択部６ａは、使用者が予備浸水入力ボタン６２ｆにより、予備浸水「有」を入力した場合、自動的に高温保温モードを選択し、予備浸水「無」を入力した場合、自動的に標準保温モードを選択するようになっている。
【００４８】
上記のように構成される本発明の第２の実施形態のジャー炊飯器によれば、予備浸水の有無を入力できる予備浸水入力ボタン６２ｆを備えて、予備浸水の有無に応じた保温コースを自動的に選択できるように構成しているので、使用者自身が炊飯する米の保温時の性能を正確に把握する必要はない。したがって、使用者の負担を軽減するとともに、米飯の腐敗及び保温による食味劣化をさらに効果的に低減させることができる。また、総消費電力量も効果的に減らすことができる。
【００４９】
なお、上述したように米飯に適する保温モードは、炊き上がりの含水率に応じて異なり、その炊き上がりの含水率は、使用する水の温度によっても左右される。その使用する水の温度は、加熱ユニット３による鍋加熱動作開始前において、その水を入れた鍋２の温度と相関関係にある。つまり、炊飯工程で糊化を進行させる前に予め米に吸水させておく浸水工程は、浸水工程開始前の水の水温が例えば２０℃程度と考えて、浸水工程終了時、最適な吸水状態となるように設定されているので、鍋加熱動作開始時において、鍋２の温度が高い状態で炊飯した米は、浸水工程中に僅かに糊化し崩れて、炊き上がりの含水率が高く、保温時にべたつくため、高温保温モードでの保温が適する一方、鍋２の温度が低い状態で炊飯した米は、浸水工程が終了しても十分な吸水状態が得られていない状態なので、炊き上がりの含水率が低いため、乾燥を防止するために標準保温モードでの保温が適する。このため、鍋底温度センサ５により検知された鍋温度が、予め設定された温度以上であれば、保温モード自動選択部６ａが高温保温モードを自動的に選択するとともに、予め設定された温度未満であれば、保温モード自動選択部６ａが標準保温モードを自動的に選択するように構成してもよい。
【００５０】
このように構成することによって、鍋温度に適した保温コースが自動的に選択されるので、使用者自身が鍋２内に入れた水の温度を測って、それに適した保温コースを選択する必要はない。したがって、使用者の負担を軽減するとともに、米飯の腐敗及び保温による食味劣化をさらに効果的に低減させることができる。また、総消費電力量も効果的に減らすことができる。
【００５１】
《第３の実施形態》
本発明の第３の実施形態にかかるジャー炊飯器を、図６及び図７を用いて説明する。図６は、本発明の第３の実施形態にかかるジャー炊飯器の制御部関連の構成を示すブロック図、図７は、本発明の第３の実施形態にかかるジャー炊飯器の保温モードの選択フローを示すフローチャートである。本発明の第３の実施形態にかかるジャー炊飯器は、炊飯量判定部６５をさらに有する点で、第２の実施形態のジャー炊飯器と異なる。それ以外の点においては、第２の実施形態と同様であるので重複する説明は省略する。
【００５２】
炊飯量判定部６５は、炊飯中の鍋底温度センサ５より検知された鍋温度の単位時間当たりの変化に基づいて、米飯の炊飯量を判定するよう構成されている。より具体的には、炊飯量判定部６５は、加熱ユニット３により予め設定した火力で一定時間、加熱された鍋２の温度上昇率を算出することにより、米飯の炊飯量が予め設定された量以上であるかどうかを判定するよう構成されている。
【００５３】
また、米飯は、その保温量が多過ぎると、冷めにくいので、標準保温モードに設定しても、低温保温温度まで低下するのに時間を要するため、高温保温モードに設定した場合と比べて、顕著な保温改善効果が見られない。さらに、標準保温モードに設定した場合には、高温保温温度まで、温度上昇させなければならないが、保温量が多過ぎると、温まりにくいので、高温保温温度に到達するまでに時間を要し、その間に腐敗してしまうということになる。したがって、本発明の第３の実施形態において、保温モード自動選択部６ａは、炊飯量判定部６５が、米飯の炊飯量が予め設定された量以上であると判定した場合には、高温保温モードを自動的に選択するように構成され、米飯の炊飯量が予め設定された量未満であると判定した場合には、標準保温モードを自動的に選択するように構成されている。なお、保温温度制御部６ｃは、炊飯情報、鍋加熱動作開始時の鍋温度情報、及び炊飯量判定情報に基づいて、炊飯終了時に、保温モード自動選択部６ａにより選択されている保温モードに基づいて、炊飯された米飯の保温温度を制御するように構成されている。
【００５４】
次に、上記のように構成される本発明の第３の実施形態のジャー炊飯器における保温モードの選択フローを、図７を参照しつつ説明する。
【００５５】
まず、使用者が情報入力部６２により、炊飯する米の、米種情報、硬さ情報、新米度情報、及び予備浸水情報を含む炊飯情報を入力した後、炊飯工程開始を指示する炊飯ボタン６２ｄを押圧する（ステップ１）。
次いで、保温コース自動選択部６ａは、入力された炊飯情報の中の、米の米種情報が「白米コース」である場合にはステップＳ３に進み、「白米コース」以外の場合にはステップＳ９に進む（ステップＳ２）。
次いで、保温コース自動選択部６ａは、入力された炊飯情報の中の、米の硬さ情報が「普通米」又は「硬い米」である場合にはステップＳ４に進み、「柔らかい」である場合にはステップＳ９に進む（ステップＳ３）。
次いで、保温コース自動選択部６ａは、入力された炊飯情報の中の、米の新米度情報が「新米」以外、つまり「古米」である場合にはステップＳ５に進み、「新米」である場合にはステップＳ９に進む（ステップＳ４）。
次いで、保温コース自動選択部６ａは、入力された炊飯情報の中の、予備浸水情報が予備浸水「無」である場合にはステップＳ６に進み、予備浸水「有」の場合にはステップＳ９に進む（ステップＳ５）。
なお、上記ステップＳ２〜Ｓ５は順序が入れ替わっても構わない。
【００５６】
次いで、入力された上記炊飯情報が「白米コース」、「普通米又は硬い米」、「古米」、及び予備浸水「無」であった場合、保温コース自動選択部６ａは、鍋底温度センサ５により、鍋加熱動作開始時の鍋温度情報を取得する（ステップＳ６）。
【００５７】
次いで、保温コース自動選択部６ａは、取得した鍋加熱動作開始時の鍋温度情報が予め設定された温度（例えば２５℃）未満であるかどうかを判定する（ステップＳ７）。
鍋加熱動作開始時の鍋温度情報が予め設定された温度（例えば２５℃）未満であった場合、保温モード自動選択部６ａは、標準保温モードを自動的に選択する（ステップＳ８）。一方、鍋加熱動作開始時の鍋温度情報が予め設定された温度以上であった場合、保温モード自動選択部６ａは、高温保温モードを自動的に選択する（ステップＳ９）。
【００５８】
次いで、炊飯量判定部６５が、鍋底温度センサ５により検知した鍋温度の単位時間当たりの変化、つまり、鍋２の温度上昇率を算出（ステップＳ１０、Ｓ１１）する。次いで、ステップＳ８において標準保温モードが自動選択されている場合には、炊飯量判定部６５が、算出した鍋２の温度上昇率に基づいて、炊飯量が予め設定された量未満であるかどうかを判定する（ステップＳ１２）。なお、算出した鍋２の温度上昇率の情報は、炊飯工程時に、炊飯量に応じた加熱を行うためにも用いられる。
【００５９】
判定された米飯の炊飯量が予め設定された量未満であった場合、保温コース自動選択部６ａは、標準保温モードから保温モードを変更せず、また、判定された米飯の炊飯量が予め設定された量以上であった場合、保温コース自動選択部６ａは、標準保温モードから高温保温モードに自動的に切り替え選択する（ステップＳ１３）。
以上のようにして、保温モード自動選択部６ａにより、保温開始前に保温モードが保温モード自動選択部６ａにより自動的に選択される。
【００６０】
本発明の第３の実施形態のジャー炊飯器によれば、炊飯中の鍋底温度センサ５より検知された鍋温度の単位時間当たりの変化に基づいて、米飯の炊飯量を判定する炊飯量判定部６５を備え、炊飯量判定部６５が米飯の炊飯量が予め設定された量以上であると判定した場合には、それまでに保温モード自動選択部６ａが選択した保温モードが標準保温モードであっても、高温保温モードを自動的に選択するようにしているので、炊飯量に応じて、それに適した保温コースが自動的に選択され、使用者自身が炊飯する米の保温時の性能を正確に把握する必要はない。したがって、使用者の負担を軽減するとともに、米飯の腐敗及び保温による食味劣化をさらに効果的に低減させることができる。また、総消費電力量も効果的に減らすことができる。
【００６１】
なお、上記では、予め設定した火力で一定時間、加熱された鍋２の温度上昇率を算出することにより、米飯の炊飯量を判定したが、本発明はこれに限定されるものではなく、任意の他の方法により、米飯の炊飯量を判定するよう構成してもよい。
【００６２】
《第４の実施形態》
本発明の第４の実施形態にかかるジャー炊飯器を、図８〜図１１を用いて説明する。図８は、本発明の第４の実施形態にかかるジャー炊飯器の断面図、図９は、その操作パネルの上面図、図１０は、その制御部関連の構成を示すブロック図、図１１は、その保温モードの切り替え選択のフローを示すフローチャートである。本発明の第４の実施形態にかかるジャー炊飯器は、室温センサ７５、再加熱ボタン６２ｇ、パルス検出部７６、及び変化検知部６ｄをさらに有する点で、第１の実施形態のジャー炊飯器と異なる。それ以外の点においては、第１の実施形態と同様であるので重複する説明は省略する。
【００６３】
室温センサ７５は、本体１内の室温を検知するため、図８に示すように、本体１の底部１ａ上に取り付けられている。室温センサ７５は、加熱制御部７１、底内コイル３１及び底外コイル３２の発熱の影響をなるべく受けないように、本体１の底部１ａ近傍であって、加熱制御部７１、底内コイル３１及び底外コイル３２より、なるべく遠いところに設けることが好ましい。再加熱ボタン６２ｇは、図９に示すように、情報入力部６２の一部に設けられている。使用者が標準保温モードの低温保温温度で保温中に米飯を食べたい場合、そのままでは米飯の温熱感が悪く、食味が良くない。そのため、再加熱ボタン６２ｇは、加熱ユニット３の加熱量、つまり総消費電力量を上げて米飯を再加熱し、米飯の温度を食味の良い温度（例えば８０℃）まで引き上げるように保温温度制御部６ｃに指示するものである。なお、使用者が再加熱ボタン６２ｇを押圧するタイミングが分かるように、表示板６３には保温温度を表示可能にしておくことが好ましい。
【００６４】
パルス検出部７６は、停電状態を検知するために、商用電源（例えばＡＣ１００Ｖ）からの０Ｖパルスを検出するものである。変化検知部６ｄは、図１０に示すように、制御部６の一部に設けられている。変化検知部６ｄは、標準保温モードで保温中に「米飯の温度を上下動させる外的な変化」を検知したとき、保温モード自動選択部６ａに、標準保温モードから高温保温モードに切り換え選択するように指示するものである。本発明の第４の実施形態において、「米飯の温度を上下動させる外的な変化」とは、再加熱、停電、室温が予め設定された温度よりも高くなることである。なお、「米飯の温度」とは、米飯の実際の温度をいう。
【００６５】
標準保温モードで保温中に再加熱を行って米飯の温度を上げた後、保温温度を低温保温温度まで下げると、米飯の表面は乾燥するが、周囲に白化（結露）が生じ、食味が劣化してしまう。このため、保温モード選択部６ａにより自動的に選択された保温モードが標準保温モードである場合は、高温保温モードに切り換えることが好ましい。そこで、変化検知部６ｄは、再加熱ボタン６２ｇが押圧されたことを検知するように構成されている。
【００６６】
また、標準保温モードで保温中に停電があった場合、保温中断により米飯の温度は低下する。米飯は、停電復帰後の米飯の温度が低い程、また、低温である時間が長い程、腐敗する危険性が増すため、停電復帰後は、加熱ユニット３の加熱量を上げて、米飯の温度を上昇させることが好ましい。つまり、保温モード選択部６ａにより自動的に選択された保温モードが標準保温モードである場合は、高温保温モードに切り換えることが好ましい。そこで、変化検知部６ｄは、パルス検出部７６が一定周期で発生される０Ｖパルスを検出できなくなったあと、再度０Ｖパルスを検出できるようになった時の、鍋底温度センサ５の検知温度が予め設定された温度（例えば６０℃）より低い場合、停電があったことを検知するように構成されている。又は、変化検知部６ｄは、パルス検出部が一定周期で発生される０Ｖパルスを検出できなくなってから、再度０Ｖパルスを検出できるようになるまでの時間が予め設定された時間より長くなった場合に、停電があったことを検知するように構成されている。なお、停電時間の長さによる米飯の温度の低下の割合は、季節によって変化することが考えられるため、別途カレンダー機能を設けて、季節によって上記予め設定された時間を調整するように構成することが好ましい。
【００６７】
次に、上記のように構成される本発明の第４の実施形態のジャー炊飯器における保温モードの切り替え選択のフローを、図１１を参照しつつ説明する。なお、保温開始前の保温モードの選択フローは、上述した第３の実施形態の選択フローと同様であるので説明を省略する。
【００６８】
保温モード自動選択部６ａは、保温中、変化検知部６ｄが、パルス検出部７６が検出した０Ｖパルスの間隔が予め設定した時間内かどうか（ステップＳ２１）、又は再加熱ボタン６２ｇが押圧されたかどうか（ステップＳ２２）の変化を検知した場合、現在の保温モードの情報を取得する（ステップＳ２３）。なお、ステップＳ２１、２２は、順序が入れ替わっても構わない。
【００６９】
現在の保温モードが高温保温モードである場合、保温モード自動選択部６ａは、保温モードを切り替えないか、或いは高温保温モードを再選択する。一方、現在の保温モードが標準保温モードである場合、保温モード自動選択部６ａは、保温モードを標準保温モードから高温保温モードに切り替え選択する（ステップＳ２４）。
以上のようにして、保温モード自動選択部６ａにより、保温中に保温モードが自動的に切り替え選択される。
【００７０】
本発明の第４の実施形態のジャー炊飯器によれば、保温中に、再加熱や停電、室温の上昇など、米飯の温度を上下動させる外的な変化を検知する変化検知部６ｄを備え、上記変化があった場合には、保温モード自動選択部６ａにより、自動的に標準保温モードから高温保温モードに切り替えられるように構成しているので、使用者の手間を省いて、負担を軽減するとともに、米飯の腐敗及び保温による食味劣化をさらに効果的に低減させることができる。また、必要なときのみ、自動的に高温保温モードに切り替え、通常は総消費電力量の少ない標準保温モードで保温するように構成しているので、省エネを効率良く達成することができる。
【００７１】
《第５の実施形態》
本発明の第５の実施形態にかかるジャー炊飯器を、図１２〜図１５を用いて説明する。図１２は、本発明の第５の実施形態にかかるジャー炊飯器の断面図、図１３は、その制御部関連の構成を示すブロック図、図１４は、その保温モードの一例における保温温度の変化を示すグラフ、図１５は、その保温モードの切り替え選択のフローを示すフローチャートである。本発明の第５の実施形態にかかるジャー炊飯器は、蒸気筒４８に代えて、蓋開閉検知装置８１を有する点で、第１の実施形態のジャー炊飯器と異なる。それ以外の点においては、第１の実施形態と同様であるので重複する説明は省略する。
【００７２】
蓋開閉検知装置８１は、蒸気筒８２、マグネット８３、及びリードスイッチ８４で構成されている。蒸気筒８２は、図１２に示すように、ほぼ円筒形状を有し、貫通穴４７に炊飯器外部から嵌め込まれている。蒸気筒８２には、ヒンジ軸４ａから遠ざかるにつれて下方に傾斜する傾斜部８２ａが形成されており、この傾斜部８２ａ上に、球形のマグネット８３が転がって動けるように配置されている。マグネット８３は、蓋４が閉められた時にはヒンジ軸４ａから遠い位置（図１２中、実線で示す位置）に位置し、蓋４が開けられた時には傾斜部４８ｂを転がり、ヒンジ軸４ａに近い位置（図１２中、点線で示す位置）に移動する。蓋４の内部の、上記遠い位置近傍には、リードスイッチ８４が設置されている。リードスイッチ８４は、蓋４の開閉によってマグネット８３が傾斜部８２ａに沿って転がって、上記遠い位置から離れたり、近付いたりすることにより、ＯＮ、ＯＦＦする。このリードスイッチ８４のＯＮ、ＯＦＦにより、蓋４の開閉状態を検知することが可能となっている。
【００７３】
一般的に使用者は、炊飯終了後、米飯をほぐしたり、小分けにして食べたりするために、保温途中で一度は蓋４を開閉するものと考えられ、蓋４の開閉によって鍋２内の熱が炊飯器外部に逃げ、米飯の温度が下がって、米飯が腐敗しやすくなる。このため、本発明の第５実施形態においては、標準保温モードで保温開始後、蓋開閉検知装置８１が蓋４の開閉状態を検知したとき、保温モード自動選択部６ａが、図１４に示すように低温保温温度から高温保温温度にするタイミングのみを標準保温モードより速くすることで、保温開始から予め設定された時間（例えば１２時間）までの総消費電力量を標準保温モードよりも多くした第３保温モードに、自動的に切り替え選択するように構成されている。
【００７４】
次に、上記のように構成される本発明の第５の実施形態のジャー炊飯器における保温モードの切り替え選択のフローを、図１５を参照しつつ説明する。なお、保温開始前の保温モードの選択フローは、上述した第３の実施形態の選択フローと同様であるので説明を省略する。
【００７５】
保温モード自動選択部６ａは、保温中、蓋開閉検知部８１が、蓋４の開閉があったことを検知（ステップＳ３１）した場合、現在の保温モードの情報を取得する（ステップＳ３２）。
【００７６】
現在の保温モードが高温保温モードである場合、保温モード自動選択部６ａは、保温モードを切り替えないか、或いは高温保温モードを再選択する。また、現在の保温モードが第３保温モードである場合、保温モード自動選択部６ａは、保温モードを切り替えないか、或いは第３保温モードを再選択する。一方、現在の保温モードが標準保温モードである場合、保温モード自動選択部６ａは、保温モードを標準保温モードから第３保温モードに切り替え選択する（ステップＳ３３）。
以上のようにして、保温モード自動選択部６ａにより、保温中に保温モードが自動的に切り替え選択される。
【００７７】
本発明の第５の実施形態のジャー炊飯器によれば、蓋４の開閉を検知する蓋開閉検知装置８１を備え、保温モード自動選択部６ａにより保温開始前に自動選択された保温モードが標準保温モードであり、且つ蓋を開けられたことを検知したとき、保温モード自動選択部６ａが自動的に、低温保温温度から高温保温温度にするタイミングのみを標準保温モードより速くすることで、保温開始から予め設定された時間（例えば１２時間）までの総消費電力量を標準保温モードよりも多くした第３保温モードに切り替え選択するように構成しているで、蓋開閉後の加熱ユニット３の加熱量が増え、米飯の温度が上がり、米飯の腐敗を防ぐことができる。また、自動的に標準保温モードから第３保温モードに切り替わるように構成しているので、使用者の手間を省いて、負担を軽減するとともに、米飯の腐敗及び保温による食味劣化をさらに効果的に低減させることができる。また、必要なとき（蓋開閉時）のみ、自動的に第３保温モードに切り替え、通常は総消費電力量の少ない標準保温モードで保温するように構成しているので、省エネを効率良く達成することができる。
【００７８】
なお、上記において蓋開閉検知装置８１は、一例として、蒸気筒８２、マグネット８３、及びリードスイッチ８４で構成したが、本発明はこれに限られるものではなく、任意の他の構成により、蓋４の開閉を検知するよう構成してもよい。
【００７９】
《第６の実施形態》
本発明の第６の実施形態にかかるジャー炊飯器を説明する。図１６は、本発明の第６の実施形態にかかるジャー炊飯器の操作パネルの上面図である。本発明の第６の実施形態にかかるジャー炊飯器は、切替入力部の一例である切替入力ボタン６２ｈをさらに有する点で、第１の実施形態のジャー炊飯器と異なる。それ以外の点においては、第１の実施形態と同様であるので重複する説明は省略する。
【００８０】
切替入力ボタン６２ｈは、図１６に示すように、情報入力部６２の一部に設けられている。切替入力ボタン６２ｈは、使用者が保温モードを任意で他の保温モードに切り替え可能にするものである。なお、本発明の第６の実施形態において、保温温度制御部６ｃは、保温モード自動選択部６ａが自動的に選択した保温モードが高温保温モードである場合は、切替入力ボタン６２ｈによって入力された保温モードに関わらず、高温保温モードで米飯を保温するように構成されている。つまり、保温モード自動選択部６ａが自動的に選択した保温モードが標準保温モードである場合は、切替入力ボタン６２ｈによって入力された保温モードに基づいて、保温温度を制御するように構成されている。
【００８１】
次に、上記のように構成される本発明の第６の実施形態のジャー炊飯器における保温モードの選択フローを、図１７を用いて説明する。なお、保温開始前の保温モードの選択フローは、上述した第３の実施形態の選択フローと同様であるので説明を省略する。
【００８２】
保温モード自動選択部６ａは、保温中、使用者により切替入力ボタン６２ｈが押圧されたことを検知（ステップ４１）した場合、押圧された保温モードの情報を取得する（ステップＳ４２）。
【００８３】
押圧された保温モードが標準保温モードである場合、保温モード自動選択部６ａは、保温開始前に自動選択された保温モードの情報を取得する（ステップＳ４３）。保温開始前に自動選択された保温モードが高温保温モードである場合、保温モード自動選択部６ａは、保温モードを切り替えないか、或いは高温保温モードを再選択する。一方、保温開始前に自動選択された保温モードが標準保温モードである場合、保温モード自動選択部６ａは、現在の保温モードの情報を取得する（ステップＳ４４）。
【００８４】
現在の保温モードが標準保温モードである場合、保温モード自動選択部６ａは、保温モードを切り替えないか、或いは標準保温モードを再選択する。一方、現在の保温モードが高温保温モードである場合、保温モード自動選択部６ａは、高温保温モードから標準保温モードに切り替え選択する（ステップＳ４５）。
【００８５】
また、押圧された保温モードが高温保温モードである場合、保温モード自動選択部６ａは、現在の保温モードの情報を取得する（ステップＳ４６）。現在の保温モードが高温保温モードである場合、保温モード自動選択部６ａは、保温モードを切り替えないか、或いは高温保温モードを再選択する。一方、現在の保温モードが標準保温モードである場合、保温モード自動選択部６ａは、標準保温モードから高温保温モードに切り替え選択する（ステップＳ４７）。
以上のようにして、保温モード自動選択部６ａにより、保温中に保温モードが自動的に切り替え選択される。
【００８６】
第４の実施形態で述べたように、使用者が標準保温モードの低温保温温度で保温中に米飯を食べたい場合、再加熱ボタン６２ｇを押圧することで、加熱ユニット３の加熱量を上げて米飯を再加熱し、米飯の温度を食味の良い温度まで引き上げることができる。しかしながら、米飯を小分けにして食する場合には、その度に再加熱ボタン６２ｇを押圧しなければならず、使用者に過度の負担がかかることが有り得る。
【００８７】
上記のように構成される本発明の第６の実施形態のジャー炊飯器によれば、このような場合に、切替入力ボタン６２ｈにより任意に保温モードを切り替えることができるので、必要なときに高温保温モードに切り替えて、加熱ユニット３の加熱量を上げて、米飯の温度を上げることができる。
【００８８】
また、短時間で米飯を食べ切るつもりで、上記のようにして高温保温モードに切り替えたのち、短時間で米飯を食べ切れず、残った米飯を長時間保温する必要が生じることも考え得る。このような場合でも、本発明の第６の実施形態のジャー炊飯器によれば、切替入力ボタン６２ｈにより標準保温モードに切り替えて、米飯の腐敗及び保温による食味劣化をさらに効果的に低減させることができる。また、総消費電力量も効果的に減らすことができる。
【００８９】
また、保温モード自動選択部６ａが自動的に選択した保温モードが、総消費電力量の多い高温保温モードである場合に、保温途中で、総消費電力量の少ない標準保温モードに切り替えると、最低限必要な加熱量が必要量より不足することとなり、米飯が腐敗する。このため、本発明の第６の実施形態のジャー炊飯器によれば、保温モード自動選択部６ａが自動的に選択した保温モードが高温保温モードである場合は、切替入力ボタン６２ｈによって入力された保温モードを受け付けないようにしているので、米飯の腐敗及び保温による食味劣化をさらに効果的に低減させることができる。
【００９０】
《第７の実施形態》
本発明の第７の実施形態にかかるジャー炊飯器を、図１８及び図１９を用いて説明する。図１８は、本発明の第７の実施形態にかかるジャー炊飯器の制御部関連の構成を示すブロック図である。図１９は、本発明の第７の実施形態にかかるジャー炊飯器の保温モードの選択のフローを示すフローチャートである。本発明の第７の実施形態にかかるジャー炊飯器は、浸水時間計時部９１を有する点で、第５の実施形態のジャー炊飯器と異なる。それ以外の点においては、第５の実施形態と同様であるので重複する説明は省略する。
【００９１】
使用者が米を炊飯するときには、炊飯工程開始を指示する炊飯ボタン６２ｄを押す前に必ず、米と水を入れた鍋２を本体１内にセットするために蓋４を開閉する動作が必要である。一方、本体１内にセットされた鍋２内の米と水は、セット後、すぐに炊飯されるとは限らない。例えば、使用者が外出から帰宅したときに、すぐに炊きたてのごはんが食べたいと思った時には、外出する前に予め、帰宅時間に合わせて炊飯予約がされることも考えられる。このような場合には、浸水時間が予め設定された時間以上となる可能性が高いと考えられる。
【００９２】
このため、浸水時間計時部９１は、蓋開閉検知装置８１が蓋４が閉じられたことを検知してから、炊飯工程開始を指示する炊飯ボタン６２ｄが押されるまでの時間を計測するように構成されている。また、保温モード自動選択部６ａは、浸水時間計時部９１が計測した計時時間が、予め設定された時間（例えば１０分）以上であれば予備浸水「有」と判断して高温保温モードを自動的に選択し、予め設定された時間（例えば１０分）未満であれば予備浸水「無」と判断して標準保温モードを自動的に選択するように構成されている。
【００９３】
次に、上記のように構成される本発明の第７の実施形態のジャー炊飯器における保温モードの選択のフローを、図１９を参照しつつ説明する。なお、上述した第５の実施形態の選択フローと同様であるフローについては説明を省略する。
【００９４】
浸水時間計時部９１は、炊飯工程開始前に、蓋開閉検知装置８１が蓋４の開閉があったことを検知（ステップＳ４１）した場合、計時時間を初期化して（ステップＳ４２）、蓋４の開閉を検知したときからの時間をカウントしていく（ステップＳ４３）。次いで、炊飯ボタン６２ｄが押圧された場合（ステップＳ４４）、保温モード自動選択部６ａは、浸水時間計時部９１の計時時間を読み出す（ステップＳ４６）。一方、炊飯ボタン６２ｄが押圧されず（ステップＳ４４）、再び蓋開閉検知装置８１が蓋４の開閉があったことを検知（ステップＳ４５）した場合、浸水時間計時部９１は計時時間を初期化する。
【００９５】
次いで、保温モード自動選択部６ａは、読み出した浸水時間計時部９１の計時時間が予め設定された時間以上であるかどうかを判定し（ステップＳ４７）、予め設定された時間以上であれば高温保温モードを自動的に選択し（ステップＳ４８）、予め設定された時間未満であれば標準保温モードを自動的に選択する（ステップＳ４９）。
以上のようにして、保温モード自動選択部６ａにより、炊飯工程開始前に保温モードが自動的に選択される。
【００９６】
本発明の第７の実施形態のジャー炊飯器によれば、予備浸水の有無を、蓋開閉検知装置８１により蓋４の開閉を検知してから炊飯工程開始を指示する炊飯ボタン６２ｄが押されるまでの時間により、判断している。これにより、本発明の第２の実施形態では必要であった、使用者自らが、炊飯する米の予備浸水の有無を判断する必要性も無くすことが可能になる。したがって、使用者の負担を軽減するとともに、米飯の腐敗及び保温による食味劣化をさらに効果的に低減させることができる。また、総消費電力量も効果的に減らすことができる。
【００９７】
なお、ジャー炊飯器内に被加熱物を入れた鍋をセットした後にプラグが差し込まれるなどして、電源ＯＮ状態になってから炊飯ボタン６２ｄが押されるまでの間に、蓋４の開閉が行われないこともあり得る。このような場合に備えて、プラグが差し込まれたことを検知する検知部をさらに設け、浸水時間計時部９１が、前記検知部がプラグを差し込まれたことを検知してから、炊飯ボタン６２ｄが押されるまでの時間を計測するように構成してもよい。
【００９８】
以上、本発明の実施形態について説明してきたが、本発明は上記実施形態に限定されるものではなく、様々な変形が可能である。また、上記各実施形態のうちの任意の実施形態を適宜組み合わせることにより、それぞれの有する効果を奏するようにすることができる。
また、上記各実施形態は、マイコンにより制御されるその他の方式のジャー炊飯器においても実施可能であることは言うまでもない。
【産業上の利用可能性】
【００９９】
本発明にかかるジャー炊飯器は、使用者の負担を軽減するとともに、米飯の腐敗及び保温による食味劣化をさらに効果的に低減させることのできるジャー炊飯器を提供することができるので、保温機能を有するジャー炊飯器として有用である。
【図面の簡単な説明】
【０１００】
【図１】本発明の第１の実施形態にかかるジャー炊飯器の断面図
【図２】本発明の第１の実施形態にかかるジャー炊飯器の制御部関連の構成を示すブロック図
【図３】本発明の第１の実施形態にかかるジャー炊飯器の操作パネルの上面図
【図４】標準保温モードにおける保温温度の変化を示すグラフ
【図５】本発明の第２の実施形態にかかるジャー炊飯器の操作パネルの上面図
【図６】本発明の第３の実施形態にかかるジャー炊飯器の制御部関連の構成を示すブロック図
【図７】本発明の第３の実施形態にかかるジャー炊飯器の保温モードの選択フローを示すフローチャート
【図８】本発明の第４の実施形態にかかるジャー炊飯器の断面図
【図９】本発明の第４の実施形態にかかるジャー炊飯器の操作パネルの上面図
【図１０】本発明の第４の実施形態にかかるジャー炊飯器の制御部関連の構成を示すブロック図
【図１１】本発明の第４の実施形態にかかるジャー炊飯器の保温モードの切り替え選択のフローを示すフローチャート
【図１２】本発明の第５の実施形態にかかるジャー炊飯器の断面図
【図１３】本発明の第５の実施形態にかかるジャー炊飯器の制御部関連の構成を示すブロック図
【図１４】本発明の第５の実施形態にかかるジャー炊飯器の保温モードの切り替え選択のフローを示すフローチャート
【図１５】第３保温モードにおける保温温度の変化を示すグラフ
【図１６】本発明の第６の実施形態にかかるジャー炊飯器の操作パネルの上面図
【図１７】本発明の第６の実施形態にかかるジャー炊飯器の保温モードの切り替え選択のフローを示すフローチャート
【図１８】本発明の第７の実施形態にかかるジャー炊飯器の制御部関連の構成を示すブロック図
【図１９】本発明の第７の実施形態にかかるジャー炊飯器の保温モードの選択フローを示すフローチャート
【符号の説明】
【０１０１】
１    本体
２    鍋
３    加熱ユニット
４    蓋部
５    鍋底温度センサ
６    制御部
６ａ  保温モード自動選択部
６ｂ  炊飯制御部
６ｃ  保温温度制御部
６ｄ  変化検知部
１１    上枠
１２    コイルベース
１３    ヒンジ部材
３１    底内コイル
３２    底外コイル
３３    側面コイル
３４    蓋コイル
４１    外蓋部
４２    内蓋部
４３    発熱板
４４    鍋パッキン
４５    蓋温度センサ
４６    蒸気通路孔
４７    貫通穴
４８    蒸気筒
５１    センサバネ
６１    操作基板
６２    情報入力部
６２ａ  炊飯コース入力ボタン
６２ｂ  硬さ入力ボタン
６２ｃ  炊飯情報入力ボタン
６２ｄ  炊飯ボタン
６２ｅ  切ボタン
６２ｆ  予備浸水入力ボタン
６２ｇ  再加熱ボタン
６２ｈ  切替入力ボタン
６３    表示板
６４    計時部
６５    炊飯量判定部
７５    室温センサ
７６    パルス検出部
８１    蓋開閉検知装置
８２    蒸気筒
８２ａ  傾斜部
８３    マグネット
８４    リードスイッチ
９１    浸水時間計時部
【図１】
2007222289.tif 000003
【図２】
2007222289.tif 000004
【図３】
2007222289.tif 000005
【図４】
2007222289.tif 000006
【図５】
2007222289.tif 000007
【図６】
2007222289.tif 000008
【図７】
2007222289.tif 000009
【図８】
2007222289.tif 000010
【図９】
2007222289.tif 000011
【図１０】
2007222289.tif 000012
【図１１】
2007222289.tif 000013
【図１２】
2007222289.tif 000014
【図１３】
2007222289.tif 000015
【図１４】
2007222289.tif 000016
【図１５】
2007222289.tif 000017
【図１６】
2007222289.tif 000018
【図１７】
2007222289.tif 000019
【図１８】
2007222289.tif 000020
【図１９】
2007222289.tif 000021